(57)【要約】【課題】計測装置のセンサー部等の保守作業を、保護板を取り外すことなく、容易に行うことができる分電盤を提供する。【解決手段】筐体１内に、ブレーカ２と計測装置３とを設置し、筐体１の開口部を保護板４で覆った分電盤である。保護板４には窓孔１１を形成し、計測装置３と電気的に接続されるデバイス９を、保護板４の外側から計測装置３に着脱自在に組み込んだことを特徴とする。計測装置３は例えば感震装置であり、デバイス９は感震センサーである。【選択図】図２
2018117425.tif 000002
【特許請求の範囲】
【請求項１】
筐体内にブレーカと計測装置とを設置し、この筐体の開口部を保護板で覆った分電盤であって、
計測装置と電気的に接続されるデバイスを、保護板の外側から計測装置に着脱自在に組み込んだことを特徴とする分電盤。
【請求項２】
計測装置は前記デバイスの装着部を備え、この装着部を保護板に設けた窓孔から露出させたことを特徴とする請求項１に記載の分電盤。
【請求項３】
前記デバイスは、分電盤に生じた事象を検出し、計測装置に信号出力する検出手段であることを特徴とする請求項１または２に記載の分電盤。
【発明の詳細な説明】
【技術分野】
【０００１】
本発明は、筐体内に、ブレーカと、計測装置とを設置し、この筐体の開口部を保護板で覆った分電盤に関するものである。
【背景技術】
【０００２】
分電盤は筐体の内部にブレーカを設置したものであるが、使用者が不用意に充電部に接触して感電することがないように、筐体の開口部を保護板で覆った構造が一般的である。保護板にはブレーカの操作用ハンドルを露出させる窓孔が形成されており、ハンドル操作を行えるようになっている。
【０００３】
また最近では筐体の内部にブレーカのみならず、各種の計測装置を組み込んだ分電盤が用いられている。例えば特許文献１には、感震センサーを組み込み、所定以上の震度を検出したときにはブレーカを作動させて回路を遮断する分電盤が記載されている。このほか、電流センサーを組み込んで各分岐回路に流れる電流を計測することができる分電盤もある。
【０００４】
これらの計測装置はセンサー部に電子機器を備えたものが多く、ブレーカ等の電気機器に比較して寿命が短いため、センサー部については定期的な点検や交換などの保守作業を必要とする。計測装置は保護板で覆われているため、保守作業を行うためには保護板を取り外さねばならない。しかし分電盤の保護板を取り外す行為は電気工事に関する資格を有する者しか行うことができないので、保守作業を容易に行うことができないという問題があった。
【先行技術文献】
【特許文献】
【０００５】
【特許文献１】特開平１０−１２１１９号公報
【発明の概要】
【発明が解決しようとする課題】
【０００６】
従って本発明の目的は上記した従来の問題点を解決し、計測装置のセンサー部等の保守作業を、容易に行うことができる分電盤を提供することである。
【課題を解決するための手段】
【０００７】
上記の課題を解決するためになされた本発明は、筐体内に、ブレーカと計測装置とを設置し、この筐体の開口部を保護板で覆った分電盤であって、計測装置と電気的に接続されるデバイスを、保護板の外側から計測装置に着脱自在に組み込んだことを特徴とするものである。
【０００８】
なお、計測装置は前記デバイスの装着部を備え、この装着部を保護板に設けた窓孔から露出させた構造とすることができる。また前記デバイスは、分電盤に生じた事象を検出し、計測装置に信号出力する検出手段とすることができる。しかし後記する実施形態に示すように、様々なデバイスを採用することができる。
【発明の効果】
【０００９】
本発明の分電盤は、計測装置と電気的に接続されるデバイスを、保護板の外側から計測装置に着脱自在に組み込んだ構造であるので、保護板を取り外すことなく、センサー部その他のデバイスを交換したり点検したりすることができる。このため有資格者でなくても、計測装置のセンサー部等の保守作業を、容易に行うことができる。
【図面の簡単な説明】
【００１０】
【図１】第１の実施形態を示す模式的な平面図である。
【図２】第１の実施形態を示す模式的な断面図である。
【図３】第２の実施形態を示す模式的な平面図である。
【図４】第２の実施形態を示す模式的な断面図である。
【発明を実施するための形態】
【００１１】
以下に本発明の実施形態を示す。
図１は第１の実施形態を示す模式的な平面図、図２はその断面図である。
【００１２】
これらの図において、１は分電盤の筐体であり、その内部にブレーカ２と計測装置３とが設置されている。ブレーカ２は主幹ブレーカとその二次側に接続された分岐ブレーカなどである。筐体１の開口部は保護板４によって覆われている。従来と同様、保護板４にはブレーカ２のハンドル５を露出させるための窓孔６が形成されており、ハンドル５を保護板４の外側から操作できるようになっている。
【００１３】
計測装置３は分電盤の各回路に流れる電流や電力の情報、過電流や漏電による回路の遮断情報など、分電盤内部に生じる事象を計測するものや、分電盤に対して生じる地震や火災、系統電源の停電など、分電盤外部に生じる事象を計測するものである。また、計測装置３はそれらの情報を計測し、演算したうえでブレーカ２を制御したり、表示したり、外部に通信したりする機能を備えた装置である。第１の実施形態では計測装置３として、感震装置が設置されている。
【００１４】
計測装置３は少なくとも演算部７を備えるものであり、この実施形態では演算部７は計測装置３の内部に配置されているが、表示部８は計測装置３の上側に形成されている。保護板４には表示部８に対応させて窓孔９が形成されている。表示部８としてＬＥＤライトを用い、例えば検出された震度などの表示内容に応じて、色を変えることができる。また表示部８として液晶パネルを用い、文字や数字で震度その他の表示を行うこともできる。
【００１５】
計測装置３には計測を行う検出部（センサー部）が必要であるが、この実施形態では検出部は計測装置３と電気的に接続されるデバイス９として、保護板４の外側から計測装置３に着脱自在に組み込むことができる構造となっている。具体的には図２に示すように、計測装置３はその上面にデバイス９の装着部１０を備え、この装着部１０を保護板４に設けた窓孔１１から上方に露出させた構造となっている。これにより検出部であるデバイス９を保護板４を取り外すことなく計測装置３に対して着脱することが可能となり、保護板を取り外すことなく、センサー部その他のデバイス９を交換したり点検したりすることができる。
【００１６】
計測装置３が感震装置である場合、検出部であるデバイス９は地震センサーや加速度センサーである。デバイス９によって検出された情報は計測装置３の演算部７に入力され、計測データに対応する演算が行われ、計測装置３は演算結果を表示部８に表示させるとともに、加速度や震度が閾値を超えた場合にはブレーカ２をトリップさせるなどの制御を行う。
【００１７】
このほか検出部であるデバイス９としては、火災を検出する煙センサー、炎センサー、分電盤を設置するときの角度を調整するためのジャイロセンサー、光センサー、音センサーなど、分電盤に生じた事象を検出し、計測装置３に信号出力する様々な検出手段を採用することができる。これらのデバイス９は着脱自在とされているので、例えば分電盤を設置する際にはジャイロセンサーを装着して設置角度を調整し、接地終了後には加速度センサーに交換して地震を検出できるようにしたり、煙センサーに交換して火災を検出できるようにすることもできる。すなわち、計測装置３が通信機能、演算機能を組込んだ汎用のものとすれば、デバイス９を交換するのみで設置場所の用途に応じた計測装置３に変更することが可能である。
【００１８】
上記した第１の実施形態では、デバイス９は計測装置３の検出部（センサー部）であったがこれに限定されるものではない。例えば計測装置３が分電盤の盤内機器の電力や、盤内に流れ込んだ雷サージや、盤内の温度、湿度など、盤内で生じる複数の事象を検知する場合には、それらのデータを全て表示するためには表示部８を大きくする必要がある。このような場合には、表示装置をデバイス９として、保護板３の外側から計測装置３に着脱自在に組み込む構造とすることができる。
【００１９】
また、必要なデータを表示する表示装置を選択して組み込むことにより、表示部８を大きくする必要をなくすることもできる。例えば、計測装置３が電力を測定するものである場合には、電力を数値表示することができる表示装置をデバイス９として計測装置３に組み込み、計測装置３が雷サージを測定するものである場合には、雷の発生をランプ等で表示可能な表示装置をデバイス９として計測装置３に組み込むことができる。
【００２０】
また、電源装置をデバイス９として保護板３の外側から計測装置３に着脱自在に組み込むこともできる。通常状態では、計測装置３はブレーカ２に接続され電源が供給されているが、停電等によってブレーカ２からの電源供給が止まってしまう場合に備えて、計測装置３に電源装置をデバイス９として組み込めば、電源供給が可能となる。電源装置としては乾電池や蓄電池が用いられ、これらは定期的な交換が必要である。本発明によれば、保護板４を取り外すことなく交換作業を行うことができる。また図２に示すように装着部１０を保護板４から露出させておくことにより、交換作業がより容易となる。
【００２１】
なお、電源装置の残量が不足していると非常時に計測装置３に電源を供給することができなくなるので、残量を表示部８に表示させることが好ましい。また、非常時に計測装置３が測定したデータのログを溜めておくための記憶部を設けておき、電源装置の電力をこの記憶部へのデータ貯蔵に使用するようにしてもよい。
【００２２】
また、計測装置３で測定したデータを外部に出力するために、デバイス９として無線通信用のアンテナを用いることもできる。無線通信用のアンテナには近距離用、中距離用、長距離用などがあるが、デバイス９として目的に適したアンテナを装着することによって、状況に応じた通信が可能となる。
【００２３】
また、計測装置３にはマイコンが組み込まれているのが普通であり、このマイコンを定期的に確認、更新する必要がある。そこでデバイス９として、マイコンのファームウエアの状態を確認、更新するための装置を取り付けるようにしてもよい。これにより、保護板４を取り外すことなくファームウエアの状態を確認、更新することが可能となる。この装置はそれ自体で確認、更新を行うことができるものであってもよいが、外部のパソコン等と接続するためのアダプタを備え、そのアダプタを介してマイコンのファームウエアの状態を確認、更新するものであってもよい。
【００２４】
また、ＳＰＤ（避雷器）をデバイス９として計測装置３に組み込むこともできる。これにより雷の発生を計測、表示したり、ＳＰＤの寿命や交換時期等を表示させることができる。寿命が短く、交換頻度の高いＳＰＤを保護板４の外側から着脱自在としておけば、点検や交換作業を容易に行うことができる。
【００２５】
また、着脱可能なヒューズをデバイス９として計測装置３に組み込むこともできる。交換頻度の高いヒューズを保護板３の外側から着脱自在とすることにより、ヒューズ交換が容易となる。
【００２６】
このほか、メモリーカードやその他の記憶媒体を、デバイス９として計測装置３に組み込むこともできる。この場合には記憶媒体を挿入するスロットを装着部１０とすることができる。これにより通信部を備えていない計測装置３のデータを、容易に取り出すことができる。
【００２７】
上記したように、本発明の分電盤は、計測装置３と電気的に接続されるデバイス９を保護板４の外側から計測装置３に着脱自在に組み込んだことを特徴とするものであるが、図１、図２に示すように装着部１０を保護板４から上方に露出させる構造だけではなく、図３、図４に示す第２の実施形態のように、デバイス９を計測装置３に直接装着する構造としてもよい。例えば計測装置３に記憶媒体を挿入するスロットを形成し、保護板４に形成した窓孔１２から着脱可能とすることができる。
【００２８】
前述したように、計測装置３としては感震装置のほか、分電盤に生じた事象を検出して外部に通信する様々な装置を用いることができ、デバイス９の種類も計測装置３の種類に応じて適宜選択することができることはいうまでもない。
【符号の説明】
【００２９】
１  筐体
２  ブレーカ
３  計測装置
４  保護板
５  ハンドル
６  窓孔
７  演算部
８  表示部
９  デバイス
１０  装着部
１１  窓孔
１２  窓孔
【図１】
2018117425.tif 000003
【図２】
2018117425.tif 000004
【図３】
2018117425.tif 000005
【図４】
2018117425.tif 000006